(57)【要約】      （修正有）【課題】放熱部の清掃を簡単に行うことができる飲料水供給装置を提供すること。【解決手段】飲料水供給装置１は、下部筐体１０と、下部筐体１０の上に配置された上部筐体２０と、上部筐体２０を下部筐体１０に対して水平方向に回転可能に支持する回転手段３４と、上部筐体２０または下部筐体１０の内部に配置され飲料水を貯蔵する水容器と、水容器内の飲料水を冷却する冷却手段と、冷却手段により冷却された飲料水を供給する配管系統と、上部筐体２０の背面または側面に配置され冷却手段に生じた熱を外部に放出する放熱部とを備えている。【選択図】図１
2015129002.tif 000002
【特許請求の範囲】
【請求項１】
下部筐体と、
下部筐体の上に配置された上部筐体と、
上部筐体を下部筐体に対して水平方向に回転可能に支持する回転手段と、
上部筐体または下部筐体の内部に配置され飲料水を貯蔵する水容器と、
水容器内の飲料水を冷却する冷却手段と、
冷却手段により冷却された飲料水を供給する配管系統と、
上部筐体の背面または側面に配置され冷却手段に生じた熱を外部に放出する放熱部とを備えた飲料水供給装置。
【請求項２】
水容器は下部筐体内部に配置され着脱可能な一次タンクと、配管系統の中間の上部筐体内部に配置され一次タンクから供給された飲料水を貯蔵する二次タンクとを含み、
冷却手段は上部筐体に配置され、二次タンク内の飲料水を冷却することを特徴とする請求項１に記載の飲料水供給装置。
【請求項３】
上部筐体の下部筐体に対する回転角度を所定の角度未満に制限する回転止めを備えることを特徴とする請求項１または請求項２に記載の飲料水供給装置。
【請求項４】
上部筐体の平面外形のうち回転中心から最も遠い点の回転軌跡が、下部筐体の平面外形から、左右側および背面側にはみ出さないことを特徴とする請求項１ないし請求項３のいずれか１項に記載の飲料水供給装置。
【請求項５】
放熱部は上部筐体の背面に配置され、
通常の使用状態において、上部筐体の背面と下部筐体の背面との距離が放熱部を機能させるために必要な最小距離以上であることを特徴とする請求項４に記載の飲料水供給装置。
【発明の詳細な説明】
【技術分野】
【０００１】
本発明は、装置内に貯蔵した飲料水を冷却して供給する飲料水供給装置に関する。
【背景技術】
【０００２】
飲料水を貯蔵し、加熱・冷却して、あるいは常温で供給する飲料水供給装置が広く用いられている。このような飲料水供給装置では、着脱可能な飲料水容器を用い、この飲用水容器を使用者が交換する形式のものが普及している。
【０００３】
例えば、特許文献１に記載された飲料水サーバーは、サーバー本体の上面にセットした飲料水容器から冷水タンクに飲料水を供給し、この飲料水を冷却して冷水取水ユニットから給水する構成となっている。この飲料水サーバーでは、飲料水の冷却はペルチェ素子を備えた電子冷却装置によって行い、放熱フィンと放熱ファンは本体の背面側に設けられている。
【０００４】
特許文献２に記載された飲料ディスペンサーは、飲料袋をディスペンサー本体の上部に口栓が下方になるようにセットし、飲料袋内の飲料水を冷却してコックやジョイントホースから構成された飲料取り出し部に供給する構成となっている。放熱のための凝縮器や送風機は本体の背面側に設けられている。
【先行技術文献】
【特許文献】
【０００５】
【特許文献１】特開２００９−２５５９７２号公報
【特許文献２】特開昭６４−５８６９５号公報
【発明の概要】
【発明が解決しようとする課題】
【０００６】
飲料水供給装置が飲料水を冷却する場合は熱交換により飲料水から吸収した熱を装置外部に放出する必要がある。そのため、放熱部、具体的には、冷媒を用いて冷却する場合は凝縮器を、ペルチェ素子による場合は放熱口を設ける。これらの放熱部にほこり等が付着すると放熱が不十分となり冷却の効率が低下するので、放熱部を定期的に清掃することが必要である。
【０００７】
飲料水をコップ等に供給する給水口や操作パネルなどは装置の前面に設けるのが自然であり、そうすると、放熱部は装置本体の背面または側面に設けることになる。しかし、飲料水供給装置は背面を建物の壁に近接させて設置されることが多く、また、側面にも他の家具等が近接して置かれることが多い。そのため、放熱部の清掃を行うには、内部に貯留している飲料水も含めると相当な重量になる飲料水供給装置を移動させる必要がある。これは高齢者等体力の劣る使用者にとっては困難な作業であり、移動の際に装置を転倒させる懸念もある。
【０００８】
そこで、本発明では放熱部の清掃を簡単に行うことができる飲料水供給装置を提供することを目的とする。
【課題を解決するための手段】
【０００９】
本発明の飲料水供給装置は、
下部筐体と、
下部筐体の上に配置された上部筐体と、
上部筐体を下部筐体に対して水平方向に回転可能に支持する回転手段と、
上部筐体または下部筐体の内部に配置され飲料水を貯蔵する水容器と、
水容器内の飲料水を冷却する冷却手段と、
冷却手段により冷却された飲料水を供給する配管系統と、
上部筐体の背面または側面に配置され冷却手段に生じた熱を外部に放出する放熱部とを備えている。
【発明の効果】
【００１０】
本発明によれば、上部筐体は下部筐体に対して水平方向に回転可能になっていて、放熱部は上部筐体の背面または側面に設けられている。そのため、使用者は飲料水供給装置を移動させることなく、上部筐体を回転させて放熱部を前面に向けることにより、容易に放熱口部の清掃を行うことができる。
【図面の簡単な説明】
【００１１】
【図１】（ａ）は飲料水供給装置の上面図、（ｂ）は飲料水供給装置の正面図、（ｃ）は飲料水供給装置の側面図、（ｄ）は飲料水供給装置の背面図である。
【図２】飲料水供給装置の内部構造を説明する図である。
【図３】（ａ）、（ｂ）は回転手段の構造を説明する図である。
【図４】上部筐体の回転動作を説明する図である。
【図５】（ａ）〜（ｆ）は下部筐体と上部筐体の平面形状の例を示す図である。
【発明を実施するための形態】
【００１２】
以下、図面を参照しながら実施例に基づいて本発明を詳細に説明する。なお、本明細書においては、「飲料水」には、水、ミネラルウォーターのほか人が飲用する飲み物全般を含むものとする。
【実施例１】
【００１３】
本発明の実施例として、冷却された飲料水を供給するように構成された飲料水供給装置１について説明する。図１（ａ）は飲料水供給装置１の上面図、 図１（ｂ）は飲料水供給装置１の正面図、 図１（ｃ）は飲料水供給装置１の側面図、図１（ｄ）は飲料水供給装置の背面図である。図２は、飲料水供給装置１の内部構造を説明する図である。
【００１４】
飲料水供給装置１は、外形が略直方体で箱状の下部筐体１０と、下部筐体１０の上に配置され外形が略直方体で箱状の上部筐体２０を備えている。下部筐体１０と上部筐体２０との間には回転手段３４が設けられ、上部筐体２０は、下部筐体１０に対して水平方向に（鉛直方向に伸びる回転中心Ｃの周りに）回転可能に支持されている。
【００１５】
下部筐体１０の内部空間の下面１２には飲料水を貯蔵する一次タンク５１が、下部筐体１０に対して着脱可能に、排出５１ａが上になるように設置されている。一次タンク５１は、バッグインボックスタイプ、ボトルタイプ等の任意の構造の容器である。下部筐体１０の前面１３は開閉可能な構造となっており、一次タンク５１内の飲料水がなくなると使用者が前面１３を開けて新しい一次タンク５１と交換する。一次タンク５１の容量は１０リットル以上とする場合もあり、飲料水供給装置１全体の重量に一次タンク５１の重量が占める割合は大きい。
【００１６】
上部筐体２０の内部には、一次タンク５１と配管５３で接続され、一次タンク５１から供給された飲料水を貯蔵する二次タンク５２が設けられている。配管５３はフレキシブルなもので構成され、長さに余裕を持たせてある。配管５３の下部筐体１０の内部の位置には、一次タンク５１から二次タンク５２に飲料水を送出するポンプ５５が設けられている。
【００１７】
二次タンク５２の側面外側には、冷媒の気化熱を利用して二次タンク５２内の飲料水を冷却する冷却器４３が設けられている。上部筐体２０の内部には冷却器４３とサクションパイプ４６で接続され冷却器４３で気化した冷媒を圧縮する圧縮機４４が設けられている。上部筐体２０の背面２４には一端が圧縮機４４と接続され高圧の冷媒を液化しキャピラリチューブ４７を介して冷却器４３に供給する凝縮器４５（放熱部の一例）が設けられている。冷却器４３と圧縮機４４と凝縮器４５とサクションパイプ４６とキャピラリチューブ４７とを含んで冷却手段４０が構成される。
【００１８】
凝縮器４５は、上部筐体２０の内部の背面２４に近い位置に設け、背面２４に放熱口を設けるようにしてもよい。この場合、放熱口が放熱部となる。
【００１９】
また、冷却器４３をペルチェ素子を用いたものとし、上部筐体２０内にペルチェ素子が吸収した熱を放熱するためのヒートシンクとファンを設け、上部筐体２０の背面２４に放熱口（放熱部の一例）を設けるようにしてもよい。
【００２０】
いずれの場合も、放熱部を上部筐体２０の側面２５または側面２６に設けてもよい。
【００２１】
従来の飲料水供給装置では、一次タンクは、重力を利用して内部の飲料水を二次タンクや給水口に自然流下させることができるように、筐体の上部に配置されていた。しかし、飲料水供給装置１では、一次タンク５１をあえて低い位置、具体的には下部筐体１０内の下面１２上に配置することにより、使用者が楽に一次タンク５１の交換を行うことができるようにしてある。また、重量の大きい一次タンク５１を装置の最下部に配置しているため装置全体の重心が低くなり、飲料水供給装置１は転倒しにくくなっている。
【００２２】
また、下部筐体１０の平面形状は、上部筐体２０の平面形状に比べ幅、奥行き共に大きくなっている。このような形状によっても飲料水供給装置１は転倒しにくくなっている。
【００２３】
上部筐体２０の前面２３には、使用者が給水の指示を行うためのボタン３１ａ等が配置された操作パネル３１、二次タンク５２と配管５４で接続された給水口３２、給水口３２から流下する飲料水を受ける容器２を置くためのホルダー３３が設けられている。操作パネル３１とホルダー３３は、上部筐体２０の前面２３に突出して設けられた弓形の板状部材である。
【００２４】
配管５４にはポンプ５６が設けられている。このポンプ５６は、使用者が給水ボタン３１ａを操作することにより作動し、所定の量の飲料水を二次タンク５２から給水口３２に送出する。二次タンク５２と配管５３、５４とポンプ５５、５６を含んで、冷却手段４０により冷却された飲料水を供給するための配管系統５０が構成されている。
【００２５】
下部筐体１０の上面１１の背面側中央部には、直方体状の下部ストッパー３５が上方に突出して設けられている。また、ホルダー３３の下面中央部には、直方体状の上部ストッパー３６が下方に突出して設けられている。下部ストッパー３５と上部ストッパー３６は平面的には回転中心Ｃを中心とする一つの円周上に設けられているため、上部筐体２０を通常の状態から時計回り、または反時計回りに１８０度以上回転させようとすると下部ストッパー３５と上部ストッパー３６は当接し、上部筐体２０の回転角度を制限する。すなわち、下部ストッパー３５と上部ストッパー３６を含んで回転止めが構成されている。
【００２６】
図３（ａ）は、回転手段３４の拡大図、図３（ｂ）は、図３（ａ)のａ−ａ線での断面図である。下部プレート６１は、平面形状がリング型の板状部材であり、一方の面は平坦になっており、他方の面には断面形状が円弧状の溝６１ａが全周にわたって設けられている。下部プレート６１は、その平面的な中心が下部筐体１０の上面１１の中心および上部筐体２０の上面２１の中心と一致するように、溝６１ａの設けられている面を上側にして、上面１１に固定されている。上部プレート６２は、下部プレート６１と同一形状の部材で、下部プレート６１と中心が一致するように、溝６２ａの設けられている面を下側にして、上部筐体２０の下面２２に固定されている。下部プレート６１の溝６１ａと上部プレート６２の溝６２ａとの間には溝６１ａ、６２ａの幅よりもやや直径の大きい４個のボール６３が挟み込まれている。
【００２７】
下部プレート６１と上部プレート６２との間にはリング形状の薄板部材であるリテーナー６４が設けられている。リテーナー６４には、ボール６３よりもやや径の大きい円形の穴６４ａが４個設けられており、この穴６４ａにボール６３をはめ込むことにより、ボール６３同士の間隔を保持している。
【００２８】
回転中心Ｃの位置には、回転中心を固定するために下部筐体１０と上部筐体２０とを接続する回転軸６４が設けられている。回転軸６４は両端が開口したパイプ状部材で、その中に配管系統５０や図示しない電源線等を通すことができる。回転軸６４の下端は下部筐体１０の上面１１に設けられた凹部１１ａに、上端は上部筐体２０の下面２２に設けられた凹部２２ａにそれぞれはめ込まれ、上部筐体２０の下部筐体１０に対する平面的な回転を妨げないようになっている。
【００２９】
上部筐体２０に平面的に回転させる力が加えられると、例えば前面２３の左端部が押されると、ボール６３は位置を変えずに回転し、その結果上部筐体２０は下部筐体１０に対して、下部筐体１０の上面１１の中心を通る鉛直の線（回転中心Ｃ）の周りに回転する。このとき上部筐体を回転させるために必要とされる力は、ボール63の転がり摩擦によって大幅に低減されるため、使用者は容易に上部筐体２０を回転させることができる。
【００３０】
回転手段３４としては、図３（ａ）、（ｂ）に示した構成の他、プレートとボールを用いず、上部筐体１０と下部筐体２０とを連結する回転軸を軸受で支持する構造等、種々の構成を用いることができる。
【００３１】
図４（ａ）、（ｂ）は、上部筐体２０が回転する動作を説明する図である。以下の説明で、下部筐体１０または上部筐体２０をそれらの付属物も含めて上方の水平面に投影した図形の輪郭を「平面外形」と言うことにする。
【００３２】
図４（ａ）は、通常の使用状態を示しており、図の下側が飲料水供給装置１の前面である。下部筐体１０の上面１１と上部筐体２０の上面２１の平面形状は共に正方形で、両者の中心は一致するように配置されている。上面１１の中心と上面２１の中心を通り鉛直方向に延びる直線が回転中心Ｃである。下部筐体１０の平面外形Ｄは上面１１と同形状の正方形である。上部筐体２０の平面外形Ｅは上面２１と同形状の正方形の前面側に操作パネル３１と同形状の弓形部分が突出した形状である。
【００３３】
この状態では、下部筐体１０の背面１４は建物の壁７１に当接していて、左右の側面１５、１６は、家具、家電製品等の物体７２、７３にそれぞれ当接している。凝縮器４５と壁７１との間は後述の最小距離は確保されているものの手や掃除機のノズルを入れるには狭く、また、前面側にいる使用者からは凝縮器４５を視認しにくい。そのため、この状態では、凝縮器４５を清掃することは困難である。
【００３４】
図４（ｂ）は、上部筐体２０を図４（ａ）の状態から矢印Ｂに示すように、回転中心Ｃの周りに時計回りに約１８０度回転させ、凝縮器４５が前面側に来るようにした状態を示している。このように、飲料水供給装置１は、上部筐体２０が下部筐体１０に対して水平方向に回転できるように構成されているため、飲料水供給装置１全体を動かさなくても、凝縮器４５を前面に向け、清掃を行うことができる。
【００３５】
上部筐体２０の平面外形Ｅのなかで回転中心Ｃからの距離が最も大きい点である最遠点Ｆが回転する際に描く軌跡Ａは、左右方向、奥行き方向とも、下部筐体１０の平面外形Ｄの内側に収まっている。軌跡Ａが下部筐体１０の平面外形Ｄから背面方向にはみ出していないから、下部筐体１０の背面１４が壁７１に当接して配置されていても上部筐体２０は壁７１に妨げられることなく回転することができる。軌跡Ａが下部筐体１０の平面外形Ｄから左右方向にはみ出していないから、下部筐体１０の左右の側面１５、１６が物体７２、７３にそれぞれ当接して配置されていても、上部筐体２０は物体７２、７３に妨げられることなく回転することができる。下部筐体１０の側面２５、２６は凹部のない形状であるから、物体７２、７３の平面形状がどのようなものであっても、上部筐体２０の回転が妨げられることがない。
【００３６】
また、図４（ａ）の状態では、凝縮器４５が設けられている上部筐体２０の背面２４と下部筐体１０の背面１４との間の距離ｄは、放熱の効果を十分にするために必要な凝縮器４５と他の物体との間の最小距離ｄmin以上となっている。そのため、使用者が下部筐体１０の背面１４を壁７１に当接させて配置しても、凝縮器４５と壁７１との距離は、最小距離ｄmin以上となる。最小距離ｄminは、通常、取扱説明書等に明記され使用者に伝えられるが、使用者が取扱説明書を読まなかったり、読んでも正しく設置しないことがしばしばある。そのような場合でも、飲料水供給装置１によれば、最小距離ｄminが自然と確保されることになる。
【００３７】
図４（ｂ）の状態では、上部ストッパー３６は、下部ストッパー３５の左側に当接し、上部筐体２０は、これ以上時計回りには回転できなくなっている。使用者は清掃が終了したら、上部筐体２０を反時計回りに回転させて図４（ａ）の状態に戻す。
【００３８】
飲料水供給装置１では、上記とは反対に凝縮器４５を前面にする際に反時計回り、元に戻すときは時計回りに上部筐体２０を回転させることもできる。この場合、凝縮器４５を前面にしたときは、図４（ｃ）に示すように、上部ストッパー３６は、下部ストッパー３５の右側に当接し、上部筐体２０は、それ以上反時計回りには回転できない。すなわち、上部筐体２０の最大の回転角度は３６０度よりやや小さい角度、具体的には３６０度から下部ストッパー３５の幅に相当する角度を引いた角度に制限される。そのため、清掃が何回も行われたとき上部筐体２０が一方向に回り続け、配管５３、電源線（図示せず）、信号線（図示せず）等、下部筐体１０と上部筐体２０にまたがって配置される部材に過大な捩りや引張力が加わることを防止することができる。
【００３９】
回転止めの機構は、上記の構成以外にも種々の構成のものを用いることができる。また、例えば、下部筐体１０の上面１１の前面側に、通常の使用状態で上部ストッパー３６の右側に当接するストッパーをさらに設け、上部筐体２０の回転角度を正面から時計回りまたは反時計回りにそれぞれ１８０度以下に制限することもできる。このようにすれば、上部筐体２０を回転させる方向は固定されるが、配管５３等に対する負荷を下部ストッパーを１個とし回転角度を３６０度以下に制限した場合よりさらに小さくすることができる。つまり、回転角度の制限は凝縮器４５を前面にするために必要な回転角度よりも大きければ任意とすることができる。
【００４０】
ここまでの説明では、下部筐体１０と上部筐体２０の上面の平面形状は共に正方形とし、中心が一致するように配置するものとしたが、これ以外の形状と位置関係の例を図５（ａ）〜（ｆ）に示す。いずれの図でも図の下側が飲料水供給装置１の前面で、通常の使用状態を示し、図示は省略するが、背面と両側面には図４（ａ）と同様に壁と他の物体があるものとする。また、上部筐体２０の回転角度を制限する回転止めが設けられているものとする。
【００４１】
図５（ａ）は、図４（ａ）と同一の形状、配置であるが、凝縮器４５を上部筐体２０の側面２６に設けた例である。この場合、下部筐体１０の側面１６と上部筐体２０の側面２６との距離ｄ２を前述のｄmin以上とすれば、図４（ａ）の場合と同様の効果が得られる。
【００４２】
図５（ｂ）は、下部筐体１０の平面形状を長方形から前面左右の角を切り落とした形の６角形、上部筐体２０の平面形状をやや横長の長方形とした例である。操作パネル３１の平面形状は、長方形であり、最遠部Ｆは操作パネル３１の前面側左右の隅角部である。この例では、回転中心Ｃは、下部筐体１０の中心と上部筐体２０の中心のいずれとも一致していないが、軌跡Ａが下部筐体１０の平面外形Ｄに収まっているので、図４（ａ）の場合と同様の効果が得られる。
【００４３】
図５（ｃ）は、図４（ａ）とほぼ同じであるが、下部筐体１０の奥行き方向の寸法が小さくなっている。回転中心Ｃは、上部筐体２０の上面２１の中心であり、そのため、最遠点Ｆの軌跡Ａは、背面方向と左右方向には下部筐体１０の平面外形Ｄからはみ出していないが、前面方向には、はみ出している。しかし、前面には障害物がないので図４（ａ）の場合と同様の効果が得られる。
【００４４】
図５（ｄ）は、下部筐体１０の平面外形Ｄに凹凸がある例である。下部筐体１０の平面外形Ｄは正方形の四隅に凸部１７を設けた形状となっている。上部筐体２０の平面外形Ｅは、正方形である。下部筐体１０と上部筐体２０の中心は一致していて、この中心が回転中心Ｃとなっている。最遠点Ｆの軌跡Ａは下部筐体１０の平面外形Ｄからははみ出すが、平面外形Ｄに外接する長方形である境界Ｇの内部に収まっている。他の物体の奥行き方向の寸法が凹部１８の幅ｄ３より小さかったり、大きくても凸部を有する場合（例えば図５（ｄ）の物体７５）、他の物体が凹部１８の部分で軌跡Ａの内側に入り込み上部筐体２０の回転を妨げる可能性がある。しかし、他の物体の奥行き方向の寸法が大きく凸部がない（家具等はこのような形状となっていることが多い、例えば図５（ｄ）の物体７４）場合には、図４（ａ）の場合と同様の効果が得られる。また、そうでない場合でも、使用者は凸部１７を目安として他の物体で上部筐体２０の回転が妨げられないように飲料水供給装置１を設置することができる。つまり、上部筐体２０の平面外形Ｅが下部筐体１０の平面外形Ｄから左右方向にはみ出していても、境界Ｇから左右方向にはみ出していなければ、他の物体に妨げられずに上部筐体２０を回転できるという効果が一定程度得られる。
【００４５】
図５（ｅ）は、下部筐体１０の平面外形Ｄを正方形とし、上部筐体２０の上面２１の平面形状をそれよりも大きい正方形とし、両者の中心を一致させて配置した例である。回転中心Ｃは、上部筐体２０の上面２１の中心である。このように下部筐体１０の平面外形Ｄに上部筐体２０の平面外形Ｅが収まらない場合、使用者は、軌跡Ａの内部に他の物体がないように、また、壁と上部筐体２０の背面２４との最小間隔ｄminを確保できるように飲料水供給装置１を設置する必要があるが、上部筐体２０を回転させて凝縮器４５が前面側に来るようにし、容易に清掃することができる。
【００４６】
図５（ｆ）は、下部筐体１０の平面外形Ｅを正方形とし、上部筐体２０の平面外形Ｅをそれに外接する円よりも大きい円とし、両者の中心を一致させて配置した例である。回転中心Ｃは、上部筐体２０の平面外形Eの中心である。この場合、最遠点Ｆは上部筐体２０の平面外形Ｅの任意の点で、軌跡Ａは、平面外形Ｅと一致する（図は見やすくするためやや大きく描いている）。そのため、最小距離ｄminについては使用者が意識して確保する必要があるが、側面の他の物体と上部筐体２０との間に僅かでも間隔があれば上部筐体２０を回転させることができる。ただし、このような形状だと重心が高くなり、飲料水供給装置１は転倒しやすくなるおそれがある。
【符号の説明】
【００４７】
１  飲料水供給装置
２  容器
１０  下部筐体
１１  上面
１１ａ  凹部
１２  下面
１３  前面
１４  背面
１５、１６  側面
１７  凸部
１８  凹部
２０  上部筐体
２１  上面
２２  下面
２２ａ  凹部
２３  前面
２４  背面
２５、２６  側面
３１  操作パネル
３１ａ  給水ボタン
３２  給水口
３３  ホルダー
３４  回転手段
３５  下部ストッパー
３６  上部ストッパー
４０  冷却手段
４３  冷却器
４４  圧縮機
４５  凝縮器
４６  サクションパイプ
４７  キャピラリチューブ
５０  配管系統
５１  一次タンク
５１ａ  排出口
５２  二次タンク
５３、５４  配管
５５、５６  ポンプ
６１  下部プレート
６２  上部プレート
６１ａ、６２ａ  溝
６３  ボール
６４  リテーナー
６５  回転軸
７１  壁
７２、７３、７４、７５  物体
【図１】
2015129002.tif 000003
【図２】
2015129002.tif 000004
【図３】
2015129002.tif 000005
【図４】
2015129002.tif 000006
【図５】
2015129002.tif 000007